(57)【要約】【課題】アームの当接部が記録媒体によって摩耗するのを抑制する。【解決手段】搬送装置は、一対のガイド板３４ａ，３４ｂと、２組の搬送ローラ対４４，４５と、駆動部と、アーム５１と、センサ５３と、制御部の一部とを含む。制御部は、第１方向Ｊ１に用紙Ｐを搬送させ当該用紙Ｐの後端がアーム５１を通過する前に、第２方向Ｊ２に用紙Ｐを搬送するように駆動部を制御する。このとき、駆動部は、搬送ローラ対４５による用紙Ｐの搬送速度が搬送ローラ対４４による用紙Ｐの搬送速度よりも速くなるように、これら搬送ローラ対４４，４５に駆動力を付与する。また、このとき、ガイド板３４ｂは、アーム５１の先端との間に隙間が設けられている。【選択図】図６
2015030550.tif 000002
【特許請求の範囲】
【請求項１】
第１ガイドと、
記録媒体を搬送するための搬送経路を前記第１ガイドとの間において規定する第２ガイドと、
前記搬送経路において記録媒体を第１方向及び前記第１方向とは反対の第２方向に搬送するための複数のローラ対であって、前記第２方向において、前記第１ガイドよりも上流に配置された第１ローラ対及び前記第１ガイドよりも下流に配置されかつ前記第２方向における前記第１ローラ対との離隔距離が記録媒体の前記第２方向における長さ未満となる位置に配置された第２ローラ対と、
前記複数のローラ対を駆動する駆動部と、
記録媒体と当接するための当接部を含み、前記第１ガイドにおける前記搬送経路を規定するガイド面を前記第２ガイドとの間に挟む位置に配置される軸を中心に回動可能であり、当該回動により前記当接部が前記搬送経路内に突出する突出位置と、前記当接部が前記搬送経路内から退避する退避位置とをとり得るアームと、
前記アームの位置に応じて、信号を出力するセンサと、
前記駆動部を制御して、前記突出位置にある前記アームの前記当接部に記録媒体が当接して前記アームが前記退避位置に回動するように、前記搬送経路において前記第１方向に記録媒体を搬送する第１処理と、前記第１処理の後であって記録媒体の後端が前記アームの前記当接部を通過する前に、前記駆動部を制御して、前記搬送経路において前記第２方向に記録媒体を搬送する第２処理とを実行する制御部とを備えており、
前記駆動部は、前記第２処理において、前記第１ローラ対による記録媒体の搬送速度が前記第２ローラ対による記録媒体の搬送速度よりも速くなるように、前記第１ローラ対及び前記第２ローラ対に駆動力を付与し、
前記第２ガイドは、前記第２処理において、前記アームの前記当接部との間に隙間が設けられていることを特徴とする搬送装置。
【請求項２】
前記第１方向において、前記アームよりも上流に配置された前記第２ローラ対又は別のローラ対は、記録媒体の先端が前記第１ガイドに向くように搬送することを特徴とする請求項１に記載の搬送装置。
【請求項３】
前記第２ローラ対又は前記別のローラ対を構成する２つのローラは、前記２つのローラの中心を通る第１直線に対して直交しかつ前記２つのローラ同士の当接点を通る第２直線のうち、前記第１方向において前記当接点よりも下流側が前記第１ガイドの前記ガイド面と交差するように配置されていることを特徴とする請求項２に記載の搬送装置。
【請求項４】
前記搬送経路は、少なくとも一部に、湾曲した湾曲経路を有しており、
前記第１ガイド及び前記第２ガイドは、前記第１ガイドが前記湾曲経路の外側を規定しかつ前記第２ガイドが前記湾曲経路の内側を規定するように、前記湾曲経路を規定する湾曲部分を有しており、
前記アームの前記当接部は、前記突出位置をとるときに前記湾曲経路内に突出していることを特徴とする請求項１〜３のいずれか１項に記載の搬送装置。
【請求項５】
前記アームの前記当接部は、前記第１方向において、記録媒体の先端が前記第１ガイドに接触する接触点よりも下流に配置されていることを特徴とする請求項４に記載の搬送装置。
【請求項６】
前記第２ガイドは、前記突出位置をとる前記アームの前記当接部との間に前記隙間が生じる位置に固定されていることを特徴とする請求項４又は５に記載の搬送装置。
【請求項７】
前記第２ガイドは、第１位置と、少なくとも一部が前記第１位置にあるときよりも前記第１ガイドから離れる第２位置との間において移動可能に構成されており、
前記第２ガイドは、前記第２位置において、前記アームの前記当接部との間に前記隙間を構成することを特徴とする請求項１〜５のいずれか１項に記載の搬送装置。
【請求項８】
前記第２ガイドは、前記第１方向における一端を中心として回動可能に構成されていることを特徴とする請求項７に記載の搬送装置。
【請求項９】
前記第２ガイドを前記第２位置から前記第１位置に向かって付勢する付勢部材と、
前記付勢部材による付勢力に抗して前記第２ガイドを前記第１位置に位置付ける規制部材とをさらに備えていることを特徴とする請求項７又は８に記載の搬送装置。
【請求項１０】
前記付勢部材の付勢力は、記録媒体の腰よりも小さくなるように設定されていることを特徴とする請求項９に記載の搬送装置。
【請求項１１】
請求項１〜１０のいずれかに記載の搬送装置と、
記録媒体に画像を記録するように構成された記録部とを備えることを特徴とする記録装置。
【発明の詳細な説明】
【技術分野】
【０００１】
本発明は、記録媒体を搬送する搬送装置及びこれを有する記録装置に関する。
【背景技術】
【０００２】
特許文献１には、用紙が第１方向及び第１方向とは反対の第２方向に搬送される搬送経路に配置されたアーム付きセンサについて記載されている。アーム付きセンサは、軸部１３を中心に回動する主レバー１２と、主レバー１２に対して軸部２５を介して連結されかつ軸部２５を中心に回動する補助レバー２２とを有している。このアーム付きセンサは、用紙が正送り（第１方向）に搬送されてきた場合には、補助レバー２２が反時計方向に回動し、補助レバー２２の回動に伴って回動規制片２０を介して主レバー１２が反時計方向に回動する。そして、この主レバー１２の回動によって用紙検知する。一方、用紙が逆送り（第２方向）に搬送されてきた場合には、補助レバー２２のみが時計方向に回動して用紙の通過を可能にする。
【先行技術文献】
【特許文献】
【０００３】
【特許文献１】特開平８−２５９０３７号公報
【発明の概要】
【発明が解決しようとする課題】
【０００４】
しかしながら、上記特許文献１に記載のアーム付きセンサを用いると、主レバー及び補助レバーのそれぞれを回動させるための２つの軸が必要となる。このため、主レバー及び補助レバーで構成されるアームの構成が複雑になって、アームの重量が大きくなる。アームの重量が大きくなると、アームに用紙を当接させたときに、アームが大きな搬送抵抗となって、用紙にジャムが生じる虞がある。
【０００５】
そこで、本願発明者は、用紙のジャム発生を抑制するために、回動軸の少ないアーム付きセンサを用いることについて検討した結果、以下の課題を知見した。第１方向に搬送された用紙の後端がアームを通過する前に、用紙を第２方向に搬送する構成を採用した場合、第１方向に搬送される用紙との当接によって、アームは回動する。その後、用紙後端がアームを通過する前に、用紙が第２方向に搬送されると、用紙との摩擦によってアームが元の位置に復帰しようと回動する。このアームの回動方向は、アームの先端を用紙に押し付ける方向となるため、アームの先端が用紙の第２方向への搬送に伴って摩耗してしまう。
【０００６】
そこで、本発明の目的は、アームの当接部が記録媒体によって摩耗するのを抑制することが可能な搬送装置及びこれを有する記録装置を提供することである。
【課題を解決するための手段】
【０００７】
本発明の搬送装置は、第１ガイドと、記録媒体を搬送するための搬送経路を前記第１ガイドとの間において規定する第２ガイドと、前記搬送経路において記録媒体を第１方向及び前記第１方向とは反対の第２方向に搬送するための複数のローラ対であって、前記第２方向において、前記第１ガイドよりも上流に配置された第１ローラ対及び前記第１ガイドよりも下流に配置されかつ前記第２方向における前記第１ローラ対との離隔距離が記録媒体の前記第２方向における長さ未満となる位置に配置された第２ローラ対と、前記複数のローラ対を駆動する駆動部と、記録媒体と当接するための当接部を含み、前記第１ガイドにおける前記搬送経路を規定するガイド面を前記第２ガイドとの間に挟む位置に配置される軸を中心に回動可能であり、当該回動により前記当接部が前記搬送経路内に突出する突出位置と、前記当接部が前記搬送経路内から退避する退避位置とをとり得るアームと、前記アームの位置に応じて、信号を出力するセンサと、前記駆動部を制御して、前記突出位置にある前記アームの前記当接部に記録媒体が当接して前記アームが前記退避位置に回動するように、前記搬送経路において前記第１方向に記録媒体を搬送する第１処理と、前記第１処理の後であって記録媒体の後端が前記アームの前記当接部を通過する前に、前記駆動部を制御して、前記搬送経路において前記第２方向に記録媒体を搬送する第２処理とを実行する制御部とを備えている。そして、前記駆動部は、前記第２処理において、前記第１ローラ対による記録媒体の搬送速度が前記第２ローラ対による記録媒体の搬送速度よりも速くなるように、前記第１ローラ対及び前記第２ローラ対に駆動力を付与し、前記第２ガイドは、前記第２処理において、前記アームの前記当接部との間に隙間が設けられている。
【０００８】
本発明の記録装置は、上述の搬送装置と、記録媒体に画像を記録するように構成された記録部とを備える。
【発明の効果】
【０００９】
本発明の搬送装置及び記録装置によると、第２処理において記録媒体が第２方向に搬送される際に、２組のローラ対間の速度差によって記録媒体が搬送経路内で撓む。このとき、第２ガイドとアームの当接部との間に隙間が設けられているので、記録媒体とアームの当接部との摺擦を抑制することが可能となる。このため、アームの当接部が記録媒体の搬送によって摩耗するのを抑制することが可能となる。
【図面の簡単な説明】
【００１０】
【図１】本発明の搬送装置を有する記録装置の一実施形態によるインクジェットプリンタの内部構造を示す概略側面図である。
【図２】図１に示す下流ガイド部の拡大図である。
【図３】第１伝達機構の動作状況図である。
【図４】第２伝達機構の動作状況図である。
【図５】プリンタの電気的構成を示すブロック図である。
【図６】（ａ）は２組の搬送ローラ対で用紙を第１方向に搬送するときの動作状況図であり、（ｂ）は２組の搬送ローラ対で用紙を第２方向に搬送するときの動作状況図である。
【図７】図１のプリンタの制御部が実行する記録動作に係る制御フローを示すフローチャート図である。
【図８】本発明の搬送装置の変形例を示しており、下流ガイド部の拡大図である。
【図９】（ａ）は図８に示す２組の搬送ローラ対で用紙を第１方向に搬送するときの動作状況図であり、（ｂ）は図８に示す２組の搬送ローラ対で用紙を第２方向に搬送するときの動作状況図である。
【図１０】本発明の搬送装置の別の変形例を示しており、下流ガイド部の拡大図である。
【発明を実施するための形態】
【００１１】
以下、本発明の好適な実施の形態について、図面を参照しつつ説明する。
【００１２】
先ず、図１を参照し、本発明に係る搬送装置を有する記録装置の一実施形態としてのインクジェットプリンタ１の全体構成について説明する。
【００１３】
プリンタ１は、直方体形状の筐体１ａを有する。筐体１ａの天板上部には、排紙部４が設けられている。筐体１ａの内部空間は、上から順に空間Ａ，Ｂに区分できる。空間Ａ，Ｂには、給紙部２３から排紙部４に向かう用紙搬送経路と、当該用紙搬送経路の下流側から上流側に向かう用紙再送経路とが形成されている。用紙Ｐは、図１に示されるように、用紙搬送経路では黒太矢印に沿って搬送され、用紙再送経路では白抜き太矢印に沿って搬送される。空間Ａでは、用紙Ｐへの画像記録、用紙Ｐの排紙部４への搬送、及び、用紙Ｐの再送が行われる。空間Ｂでは、給紙部２３から用紙搬送経路への給紙が行われる。
【００１４】
空間Ａには、ブラックインクを吐出するヘッド２、用紙Ｐを搬送する搬送装置、及び、制御部１００などが配置されている。本実施形態における搬送装置は、搬送機構３、用紙検出部５０に加えて、後述の給紙モータ２５Ｍ、搬送モータ４１Ｍ〜４８Ｍを制御する制御部１００の一部によって構成されている。また、空間Ａには、図示しないカートリッジが装着されている。このカートリッジには、ブラックインクが貯留されている。カーリッジは、チューブ及びポンプ（ともに図示せず）を介してヘッド２と接続され、インクがヘッド２に供給される。
【００１５】
ヘッド２は、主走査方向に長尺な略直方体形状を有するライン式のヘッドである。ヘッド２の下面は、多数の吐出口が開口した吐出面２ａである。記録に際して、吐出面２ａからブラックインクが吐出される。ヘッド２は、ヘッドホルダ２ｂを介して筐体１ａに支持されている。ヘッドホルダ２ｂは、吐出面２ａがプラテン３ｄ（後述する）との間に記録に適した所定の間隙が形成されるように、ヘッド２を保持している。
【００１６】
搬送機構３は、上流ガイド部３ａ、下流ガイド部３ｂ、再送ガイド部３ｃ、プラテン３ｄ、及び、駆動部を有している。プラテン３ｄは、ヘッド２の吐出面２ａと対向する位置に配置されている。プラテン３ｄは、平坦な上面を有しており、用紙Ｐを下方から支持するとともに、吐出面２ａとの間に記録領域（用紙搬送経路の一部）を構成する。上流ガイド部３ａ，下流ガイド部３ｂは、プラテン３ｄを挟んで配置されている。駆動部は、搬送モータ４１Ｍ〜４８Ｍ（図５参照）、後述の第１伝達機構６１（図３参照）及び第２伝達機構６２（図４参照）を有する。
【００１７】
上流ガイド部３ａは、２つのガイド３１，３２と、２つの搬送ローラ対４１，４２とを有する。搬送ローラ対４１は２つのガイド３１，３２間に配置され、搬送ローラ対４２はガイド３２とプラテン３ｄとの間に配置されている。各ガイド３１，３２は、互いに離隔した一対のガイド板を有する。各対のガイド板間及び搬送ローラ対４１，４２によって、給紙部２３と記録領域（プラテン３ｄとヘッド２との間）とを繋ぐ上流側搬送経路が規定されている。各搬送ローラ対４１，４２は、２つのローラからそれぞれなり、一方のローラが伝達機構（不図示）を介して搬送モータ４１Ｍ，４２Ｍとそれぞれ接続され、搬送モータ４１Ｍ，４２Ｍの駆動力が伝達される。搬送モータ４１Ｍ，４２Ｍが制御部１００の制御によって駆動されることで、各搬送ローラ対４１，４２の一方のローラ（駆動ローラ）が回転し、用紙Ｐを記録領域に向けて搬送する。このとき、各搬送ローラ対４１，４２の他方のローラ（従動ローラ）は、用紙Ｐの搬送に伴って回転する。
【００１８】
下流ガイド部３ｂは、２つのガイド３３，３４と、３つの搬送ローラ対４３〜４５とを有する。搬送ローラ対４３は記録領域とガイド３３との間に配置され、搬送ローラ対４４は２つのガイド３３，３４間に配置され、搬送ローラ対４５はガイド３４と排紙部４との間に配置されている。ガイド３３は、互いに離隔した一対のガイド板を有する。ガイド板３４も厚み方向に互いに離隔した一対のガイド板３４ａ，３４ｂを有する。各対のガイド板３４ａ，３４ｂ間及び搬送ローラ対４３〜４５によって、記録領域と排紙部４とを繋ぐ下流側搬送経路が規定されている。各搬送ローラ対４３〜４５も、２つのローラからそれぞれなる。搬送ローラ対４３の一方のローラが伝達機構（不図示）を介して搬送モータ４３Ｍと接続され、搬送モータ４３Ｍの駆動力が伝達される。搬送ローラ対４４の一方のローラが第２伝達機構６２を介して搬送モータ４４Ｍと接続され、搬送モータ４４Ｍの駆動力が伝達される。搬送ローラ対４５の一方のローラが第１伝達機構６１を介して搬送モータ４５Ｍと接続され、搬送モータ４５Ｍの駆動力が伝達される。搬送モータ４３Ｍ〜４５Ｍが制御部１００の制御によって駆動されることで、各搬送ローラ対４３〜４５の一方のローラ（駆動ローラ）が回転し、用紙Ｐを排紙部４に向けて搬送する。このとき、各搬送ローラ対４３〜４５の他方のローラ（従動ローラ）は、用紙Ｐの搬送に伴って回転する。用紙搬送経路は、４つのガイド３１〜３４、５つの搬送ローラ対４１〜４５、プラテン３ｄ及びヘッド２によって規定されている。つまり、用紙搬送経路は、上流側搬送経路、記録領域及び下流側搬送経路によって構成されている。
【００１９】
再送ガイド部３ｃは、４つのガイド３５〜３８と、３つの搬送ローラ対４６〜４８とを有する。各ガイド３５〜３８は、互いに離隔した一対のガイド板を有する。各対のガイド板間及び搬送ローラ対４６〜４８によって、記録領域を迂回して上流側搬送経路と下流側搬送経路とを繋ぐ用紙再送経路が規定されている。４つのガイド３５〜３８は、下流側搬送経路から上流側搬送経路に向かって順に配置され、３つの搬送ローラ対４６〜４８がこれらガイド３５〜３８間に順に配置されている。また、ガイド３５は、ガイド３３の途中部位に接続され、下流側搬送経路と用紙再送経路とを繋いでいる。ガイド３８は、ガイド３１の途中部位に接続され、用紙再送経路と上流側搬送経路とを繋いでいる。各搬送ローラ対４６〜４８も、２つのローラからそれぞれなり、一方のローラが伝達機構（不図示）を介して搬送モータ４６Ｍ〜４８Ｍとそれぞれ接続され、搬送モータ４６Ｍ〜４８Ｍの駆動力が伝達される。搬送モータ４６Ｍ〜４８Ｍが制御部１００の制御によって駆動されることで、各搬送ローラ対４６〜４８の一方のローラ（駆動ローラ）が回転し、用紙Ｐを上流ガイド部３ａに向けて搬送する。このとき、各搬送ローラ対４６〜４８の他方のローラ（従動ローラ）は、用紙Ｐの搬送に伴って回転する。なお、８つの搬送ローラ対４１〜４８は、用紙搬送経路及び用紙再送経路に沿って互いに隣接する搬送ローラ対間の距離が、当該経路において搬送される用紙Ｐの長さ未満となるように配置されている。
【００２０】
また、２つの搬送ローラ対４４，４５は、制御部１００の制御により、用紙Ｐの搬送方向が切り換えられる。つまり、搬送ローラ対４４，４５は、用紙Ｐを第１方向Ｊ１（用紙Ｐを記録領域から排紙部４へと搬送する方向：図２参照）に搬送するときと、用紙Ｐを第２方向Ｊ２（第１方向Ｊ１とは反対方向であって用紙Ｐを用紙搬送経路から用紙再送経路へと搬送する方向：図２参照）へと搬送するときとで、その回転方向が切り換えられる。用紙搬送経路から用紙再送経路に搬送されてきた用紙Ｐは、上流ガイド部３ａに再送される。このとき、再送される用紙Ｐは、直前の記録領域を通過したときとはその表裏が反転した状態で当該記録領域に再び搬送される。こうして、用紙Ｐの両面に画像を記録することが可能となる。
【００２１】
空間Ｂには、給紙部２３が配置されている。給紙部２３は、給紙トレイ２４及び給紙ローラ２５を有する。このうち、給紙トレイ２４が、筐体１ａに対して着脱可能となっている。給紙トレイ２４は、上方に開口する箱であり、複数の用紙Ｐを収容可能である。給紙ローラ２５は、制御部１００の制御によって給紙モータ２５Ｍ（図５参照）が駆動されることで回転し、給紙トレイ２４内で最も上方にある用紙Ｐを送り出す。
【００２２】
ここで、副走査方向とは、搬送ローラ対４２，４３によって搬送される用紙搬送方向Ｄ、及び、搬送ローラ対４７，４８によって搬送される用紙搬送方向Ｅと平行な方向であり、主走査方向とは、水平面に平行且つ副走査方向に直交する方向である。
【００２３】
次に、用紙検出部５０及びこれが配置されたガイド３４について、図２を参照しつつ詳述する。
【００２４】
ガイド３４は、図２に示すように、一対のガイド板３４ａ，３４ｂを有する。一対のガイド板３４ａ，３４ｂ間に規定される搬送経路Ｒは、ガイド板３４ａのガイド面３４ａ４に沿ってその一部が湾曲する湾曲経路Ｒ１を有する。ガイド板３４ａ（第１ガイド）は、鉛直方向に延在する鉛直部３４ａ１と、水平方向に延在する水平部３４ａ２と、これら鉛直部３４ａ１及び水平部３４ａ２を接続する湾曲部３４ａ３（湾曲部分）とを有する。湾曲部３４ａ３は、湾曲経路Ｒ１の外側を規定する。ガイド板３４ｂ（第２ガイド）は、鉛直部３４ａ１と対向する鉛直部３４ｂ１と、水平部３４ａ２と対向する水平部３４ｂ２と、これら鉛直部３４ｂ１及び水平部３４ｂ２を接続する湾曲部３４ｂ３（湾曲部分）とを有する。湾曲部３４ｂ３は、湾曲部３４ａ３とで湾曲経路Ｒ１を規定する。つまり、湾曲部３４ｂ３は、湾曲経路Ｒ１の内側を規定する。また、湾曲部３４ｂ３は、湾曲部３４ａ３とは反対側（図２中左斜め下側）に湾曲し、筐体１ａに固定されている。このため、湾曲部３４ｂ３の大部分が、ガイド板３４ａのガイド面３４ａ４から大きく離隔している。より具体的には、ガイド板３４ｂは、突出位置にあるアームの先端（下面５１ａ１）から用紙Ｐの厚みよりも大きな隙間を介して離れている。
【００２５】
また、湾曲部３４ａ３には、貫通孔３４ａ５が形成されている。この貫通孔３４ａ５は、ガイド板３４ａの主走査方向の中央に形成されている。また、貫通孔３４ａ５の主走査方向の長さは、搬送される用紙Ｐの主走査方向の長さよりも短い。貫通孔３４ａ５は、搬送ローラ対４４によって排紙部４に向かって搬送される用紙Ｐの先端がガイド面３４ａ４に最初に接触する点である接触点Ｈ１よりも、第１方向Ｊ１に関して、下流に配置されている。この接触点Ｈ１は、搬送ローラ対４４の２つのローラの中心を通る直線（第１直線）Ｌ１に直交し且つこれら２つのローラ同士の当接点を通る直線（第２直線）Ｌ２のうち、第１方向Ｊ１において当接点よりも下流側がガイド面３４ａ４と交差する点である。換言すると、搬送ローラ対４４は、第１方向Ｊ１に関して、直線Ｌ２の下流側とガイド面３４ａ４とが交差する点（接触点Ｈ１）が貫通孔３４ａ５よりも上流となるように配置されている。これにより、搬送ローラ対４４によって、簡単に用紙Ｐをガイド板３４ａに向かって搬送することが可能となる。用紙Ｐが湾曲経路Ｒ１を搬送される際、用紙Ｐは湾曲経路Ｒ１に倣うように湾曲した形状となる。用紙Ｐが湾曲した形状になると、用紙Ｐには直線状の形状に戻ろうとする反力が生じる。この反力によって、用紙Ｐは、湾曲経路Ｒ１のうちの、外側を規定するガイド板３４ａのガイド面３４ａ４に倣う。つまり、用紙Ｐが湾曲経路Ｒ１を搬送される際、用紙Ｐはガイド板３４ａのガイド面３４ａ４に接触しつつ搬送される。なお、鉛直方向に延びる鉛直部３４ａ１に対して、直線Ｌ２が平行になっているが、用紙Ｐが確実にガイド板３４ａのガイド面３４ａ４に接触しつつ搬送されるように、直線Ｌ２が第１方向Ｊ１に向かうにつれて、鉛直部３４ａ１に近づくように鉛直方向に対して交差していてもよい。
【００２６】
用紙検出部５０は、図２に示すように、アーム５１と、アーム５１を回動可能に支持する軸５２と、センサ５３とを有する。軸５２は、湾曲経路Ｒ１の外側に配置されている。具体的には、ガイド面３４ａ４をガイド板３４ｂとの間に挟む位置に配置されている。本実施形態における軸５２は、ガイド板３４ａよりも外側に配置されているが、例えば、貫通孔３４ａ５に配置されていてもよい。
【００２７】
アーム５１は、直線状に延在している。また、アーム５１は、アーム５１の左側部分（図２中軸５２よりも左側部分）５１ａが突出位置と退避位置との間において回動可能に軸５２に支持されている。突出位置は、図２に示すように、左側部分５１ａが貫通孔３４ａ５を介して湾曲経路Ｒ１内に突出する位置である。このとき、左側部分５１ａの下面５１ａ１の一部が湾曲経路Ｒ１内に突出する。この下面部分は、搬送されてきた用紙Ｐと当接する当接部を構成する。退避位置は、左側部分５１ａの下面５１ａ１が湾曲経路Ｒ１から退避する位置である（図６（ａ）参照）。なお、アーム５１は、用紙Ｐと当接していないときは、図２に示すように、下面５１ａ１が貫通孔３４ａ５の内面に当接し、突出位置に位置決めされる。そして、用紙Ｐが下面５１ａ１に当接し当該用紙Ｐが排紙部４に搬送されることで、左側部分５１ａが退避位置に回動する。アーム５１が突出位置をとるとき、アーム５１は、軸５２からガイド板３４ｂに近づくように、延在している。ここで、用紙Ｐは、ガイド板３４ａのガイド面３４ａ４に沿って搬送されるため、アーム５１の下面５１ａ１に確実に当接する。また、アーム５１は、用紙Ｐとの当接によって左側部分５１ａが退避位置に回動可能な自重に設定されている。
【００２８】
センサ５３は、アーム５１の右側部分（図２中軸５２よりも右側部分）５１ｂを検出する検出部５３ａを有する。検出部５３ａには、アーム５１の回動に応じて、右側部分５１ｂが出入り可能なスリット（不図示）が形成されている。検出部５３ａは、スリットを挟んで対向する部分に発光部と受光部がそれぞれ配置されている。この構成により、アーム５１が突出位置にあるときは、図２に示すように、検出部５３ａのスリットに右側部分５１ｂの一部が存在し、発光部から受光部への光が遮断される。アーム５１が退避位置にあるときは、検出部５３ａのスリットに右側部分５１ｂが存在せず（図６（ａ）参照）、発光部からの光を受光部が受光する。センサ５３は、受光部が発光部からの光を受光することで、用紙Ｐの検出信号を制御部１００に出力する。つまり、センサ５３は、アーム５１の位置に応じて、用紙Ｐの検出信号を出力する。制御部１００は、センサ５３が出力する検出信号によって、用紙Ｐの有無を判定する。制御部１００は、センサ５３が出力する検出信号を用いて、用紙Ｐの搬送の方向を、第１方向Ｊ１から第２方向Ｊ２へと反転させるための、タイミングを決定する。また、制御部１００は、センサ５３が出力する検出信号によって、用紙ジャムの発生の有無を検出してもよい。なお、制御部１００は、当該タイミングを決定するために、センサ５３が出力する検出信号を用いず、別の位置に設けた用紙センサが出力する検出信号を用いてもよい。
【００２９】
次に、第１及び第２伝達機構６１，６２について、図３及び図４を参照しつつ以下に説明する。
【００３０】
第１伝達機構６１は、図３に示すように、互いに噛み合う２つのギア６１ａ，６１ｂを有している。ギア６１ａは、搬送ローラ対４５の駆動ローラが固定された軸部材４５Ｌに固定されている。ギア６１ｂは、搬送モータ４５Ｍの軸部材４５ＭＬに固定されている。この構成において、用紙Ｐを第１方向Ｊ１に搬送する場合は、制御部１００が搬送モータ４５Ｍを正方向（時計回り）に駆動する。このとき、図３（ａ）に示すように、ギア６１ｂが時計回りに回転し、ギア６１ａが反時計回りに回転する。これにより、搬送ローラ対４５が、用紙Ｐを第１方向Ｊ１に搬送する向きに回転する。一方、用紙Ｐを第２方向Ｊ２に搬送する場合は、制御部１００が搬送モータ４５Ｍを逆方向（反時計回り）に駆動する。このとき、図３（ｂ）に示すように、ギア６１ｂが反時計回りに回転し、ギア６１ａが時計回りに回転する。これにより、搬送ローラ対４５が、用紙Ｐを第２方向Ｊ２に搬送する向きに回転する。
【００３１】
第２伝達機構６２は、図４に示すように、５つのギア６２ａ〜６２ｅを有する。ギア６２ａは、ギア６１ａと同じ構成であって搬送ローラ対４４の駆動ローラが固定された軸部材４４Ｌに固定されている。ギア６２ｅは、ギア６１ｂと同じ構成であって搬送モータ４４Ｍの軸部材４４ＭＬに固定されている。２つのギア６２ｂ，６２ｃは、互いに離隔しつつギア６２ａと常に噛み合うように配置されている。ギア６２ｃはギア６２ａと同じ構成を有し、ギア６２ｂはギア６２ａ，６２ｃよりもその径が大きい。ギア６２ｄは、ギア６２ａと同じ構成であって、連結板６２ｆによってギア６２ｅと常に噛み合うように連結されている。また、ギア６２ｄは、ギア６２ｂ，６２ｃのそれぞれと当接する範囲内において、ギア６２ｅの周囲を移動可能に配置されている。
【００３２】
この構成において、用紙Ｐを第１方向Ｊ１に搬送する場合は、制御部１００が搬送モータ４４Ｍを正方向（時計回り）に駆動する。このとき、図４（ａ）に示すように、ギア６２ｅが時計回りに回転し、ギア６２ｄが反時計回りに回転するとともにギア６２ｃに近づく方向に移動しギア６２ｃと噛み合う。そして、ギア６２ｃが時計回りに回転しギア６２ａが反時計回りに回転する。なお、ギア６２ａ，６２ｃ，６２ｄはいずれも同じギア構成であり、且つ、ギア６１ａとも同じ構成であるため、搬送ローラ対４４による用紙Ｐの搬送速度が搬送ローラ対４５と同じになる。一方、用紙Ｐを第２方向Ｊ２に搬送する場合は、制御部１００が搬送モータ４４Ｍを逆方向（反時計回り）に駆動する。このとき、図４（ｂ）に示すように、ギア６２ｅが反時計回りに回転し、ギア６２ｄが時計回りに回転するとともにギア６２ｂに近づく方向に移動しギア６２ｂと噛み合う。そして、ギア６２ｂが反時計回りに回転しギア６２ａが時計回りに回転する。なお、ギア６２ｂは、ギア６２ｃよりもそのギア径が大きいため、ギア６２ａの回転速度がギア６２ｃよりも遅くなる。このため、用紙Ｐを第２方向Ｊ２に搬送する場合においては、搬送ローラ対４４による用紙Ｐの搬送速度が搬送ローラ対４５よりも遅くなる。
【００３３】
制御部１００は、演算処理装置であるＣＰＵ（Central Processing Unit）に加え、ＲＯＭ（Read Only Memory）、ＲＡＭ（Random Access Memory：不揮発性ＲＡＭを含む）、ＡＳＩＣ（Application Specific Integrated Circuit ）、Ｉ／Ｆ（Interface）、Ｉ／Ｏ（Input/Output Port）、タイマ等を含む。ＲＯＭは、ＣＰＵが実行するプログラム、各種固定データ等を記憶している。ＲＡＭは、プログラム実行時に必要なデータ（例えば、画像データ）を一時的に記憶する。ＡＳＩＣは、画像データの書き換えや並び替え（例えば、信号処理や画像処理）を行う。Ｉ／Ｆは、外部装置（例えば、プリンタ１に接続されたＰＣ）とのデータ送受信を行う。Ｉ／Ｏは、各種センサの検出信号の入力／出力を行う。なお、制御部１００がＡＳＩＣを含まず、ＣＰＵが実行するプログラムによって画像データの書き換えや並び替えが行われてもよい。
【００３４】
制御部１００は、図５に示すように、給紙モータ２５Ｍ、搬送モータ４１Ｍ〜４８Ｍ，センサ５３、及び、ヘッド２等に接続されている。また、制御部１００は、外部装置から受信した記録指令に基づいて、用紙Ｐの片面または両面に画像が記録されるよう、記録に係わる準備動作、用紙Ｐの供給・搬送・排出動作、用紙Ｐの搬送に同期したインク吐出動作等を制御する。
【００３５】
続いて、プリンタ１の記録動作に係る制御フローについて、図６及び図７を参照しつつ以下に説明する。
【００３６】
制御部１００は、用紙Ｐの片面に記録を行う記録指令を外部装置から受信すると、当該記録指令に基づいて、給紙モータ２５Ｍを駆動して用紙Ｐを給紙する（Ｓ１）。次に、制御部１００は、搬送モータ４１Ｍ〜４５Ｍを駆動して（第１処理）、用紙Ｐを搬送する（Ｓ２）。給紙トレイ２４から送り出された用紙Ｐは、上流ガイド部３ａによりガイドされ、記録領域（プラテン３ｄとヘッド２との間）に送られる。
【００３７】
用紙Ｐが記録領域に到達すると、制御部１００がヘッド２を制御して、ヘッド２からインク滴を吐出させる（Ｓ３）。これにより、用紙Ｐの表面に所望の画像が記録される。インクの吐出動作（インクの吐出タイミング）は、用紙Ｐの搬送開始のタイミングに基づく。制御部１００は、記録指令に含まれる情報が片面記録か否かを判定する（Ｓ４）。
【００３８】
制御部１００は、Ｓ４においてＹＥＳと判定した場合は、用紙Ｐを排紙部４に排出する（Ｓ５）。このとき、図６（ａ）に示すように、搬送ローラ対４４によって搬送されてきた用紙Ｐは、接触点Ｈ１において、先端とガイド面３４ａ４とが接触する。この後、用紙Ｐの先端がガイド面３４ａ４に倣って搬送ローラ対４５へと搬送されるとともに、アーム５１の下面５１ａ１と当接する。これにより、アーム５１が突出位置から退避位置へと回動し、センサ５３が用紙Ｐの検出信号を制御部１００に出力する。なお、片面記録の場合においては、センサ５３から検出信号が出力されても、そのまま、用紙Ｐは排紙部４に排紙される。こうして、フローチャートが終了する。一方、制御部１００は、Ｓ４においてＮＯと判定した場合は、ステップＳ６を実行する。
【００３９】
続いて、用紙Ｐの両面に記録を行う場合の動作（ステップＳ６〜Ｓ８）について、以下に説明する。
【００４０】
制御部１００は、センサ５３が用紙Ｐを検知したか否かを判定する（Ｓ６）。制御部１００は、センサ５３から検出信号が出力されることで、用紙Ｐを検知したと判定する。すると、制御部１００は、用紙Ｐの検知から所定時間経過後であって、用紙Ｐの後端がアーム５１の先端（下面５１ａ１）を通過するまでの間に、搬送モータ４４Ｍ，４５Ｍを制御して搬送ローラ対４４，４５を逆回転する（Ｓ７：第２処理）。これにより、用紙Ｐの搬送の方向が第１方向Ｊ１から第２方向Ｊ２へと反転される。このとき、２つの搬送モータ４４Ｍ，４５Ｍは、同じ回転速度で駆動されている。このため、第１伝達機構６１及び第２伝達機構６２の構成により、搬送ローラ対４４による用紙Ｐの搬送速度が搬送ローラ対４５よりも遅くなる。これにより、用紙Ｐが、図６（ｂ）中二点鎖線で示すように、湾曲部３４ａ３から湾曲部３４ｂ３に近づくように徐々に撓む。すなわち、用紙Ｐがアーム５１から離隔する。こうして、用紙Ｐがガイド板３４ｂに沿って搬送されるとともに、アーム５１が突出位置に復帰する。さらに、アーム５１が突出位置に復帰しても、アーム５１の先端とガイド板３４ｂとの間には、用紙Ｐの厚みより大きな隙間があるので、アーム５１が用紙Ｐと摺擦しにくくなる。さらに、このとき、制御部１００は、搬送モータ４６Ｍ〜４８Ｍを駆動する。これにより、用紙Ｐは、その経路が切り替えられ、図１に示すように用紙再送経路（白抜き矢印の示す経路）に沿って搬送され、記録領域に再送される。
【００４１】
再送されてきた用紙Ｐ（用紙再送経路から上流ガイド部３ａに再送された用紙Ｐ）は、記録領域において裏返しで再供給される。そして、制御部１００がヘッド２を制御して（Ｓ８）、裏面に画像を記録する。このときのインクの吐出動作（インクの吐出タイミング）は、用紙Ｐの再送開始のタイミング（搬送ローラ対４４，４５の逆回転）に基づく。なお、裏面への画像記録が開始される際に、制御部１００の制御の下、搬送ローラ対４４，４５が正回転に戻される。制御部１００は、両面記録された用紙Ｐを、下流ガイド部３ｂを介して、排紙部４に排出する（Ｓ５）。
【００４２】
以上に述べたように、本実施形態による搬送装置及びプリンタ１によると、ステップＳ７において用紙Ｐが第２方向Ｊ２に搬送される際に、２組の搬送ローラ対４４，４５間の速度差によって用紙Ｐが搬送経路Ｒ内で撓む。このとき、ガイド板３４ｂ（第２ガイド）とアーム５１の先端（下面５１ａ１）との間に隙間が設けられているので、用紙Ｐとアーム５１の先端とが摺擦するのを抑制することが可能となる。このため、アーム５１の先端が用紙Ｐの搬送によって摩耗するのを抑制することができる。
【００４３】
また、搬送ローラ対４４は、第１方向Ｊ１において、用紙Ｐの先端がガイド板３４ａに向くように搬送する。このため、用紙Ｐを第１方向Ｊ１に搬送する際に、用紙Ｐの先端をアーム５１の下面５１ａ１に確実に当接させることが可能となる。
【００４４】
また、アーム５１は、突出位置をとるときに、下面５１ａ１が湾曲経路Ｒ１内に配置されている。これにより、用紙Ｐを第１方向Ｊ１に搬送する際に、用紙Ｐの先端をアーム５１の下面５１ａ１に確実に当接させることが可能となる。
【００４５】
アーム５１の下面５１ａ１は、第１方向Ｊ１に関して、接触点Ｈ１よりも下流に配置されている。これにより、用紙Ｐを第１方向Ｊ１に搬送する際に、用紙Ｐの先端をアーム５１の下面５１ａ１に、より一層確実に当接させることが可能となる。
【００４６】
ガイド板３４ｂは、突出位置をとるアーム５１の先端（下面５１ａ１）との間に隙間が生じる位置に固定されている。これにより、隙間を設けるためにガイド板３４ｂを可動させる必要がなくなり、ガイド板３４ｂの構成が簡単になる。
【００４７】
変形例として、図８に示すように、搬送ローラ対４５とガイド３４との間に、ガイド２３４、搬送ローラ対２４４、付勢部材２３５及び規制部材２３６が設けられていてもよい。ガイド２３４は、一対のガイド板２３４ａ，２３４ｂを有する。ガイド板２３４ａは、水平に延在している。ガイド板２３４ａのガイド面２３４ａ１とガイド板２３４ｂとの間には、水平搬送経路Ｒ２が規定されている。
【００４８】
ガイド板２３４ａは、貫通孔２３４ａ２を有している。本変形例においては、この貫通孔２３４ａ２の近傍に用紙検出部５０が配置されている。アーム５１は、突出位置において、貫通孔２３４ａ２を介して水平搬送経路Ｒ２内に左側部分５１ａの下面５１ａ１の一部が突出し、退避位置において、左側部分５１ａの下面５１ａ１が水平搬送経路Ｒ２から退避する。
【００４９】
貫通孔２３４ａ２は、搬送ローラ対２４４によって排紙部４に向かって搬送される用紙Ｐの先端がガイド面２３４ａ１に最初に接触する点である接触点Ｈ２よりも、第１方向Ｊ１に関して、下流に配置されている。この接触点Ｈ２は、搬送ローラ対２４４の２つのローラの中心を通る直線（第１直線）Ｌ３に直交し且つこれら２つのローラ同士の当接点を通る直線（第２直線）Ｌ４のうち、第１方向Ｊ１において当接点よりも下流側がガイド面２３４ａ１と交差する点である。換言すると、搬送ローラ対２４４も、上述の搬送ローラ対４４と同様に、直線Ｌ４の下流側がガイド面２３４ａ１と交差するように配置され、第１方向Ｊ１に関して、当該交差点（接触点Ｈ２）が貫通孔２３４ａ２よりも上流となるように配置されている。これにより、搬送ローラ対２４４によって、簡単に用紙Ｐをガイド板２３４ａに向かって搬送することが可能となる。また、搬送される用紙Ｐが、アーム５１の先端に確実に当接する。本変形例による搬送ローラ対２４４は、上述の第２伝達機構６２によって搬送モータ４４Ｍと接続されている。このため、用紙Ｐを第２方向Ｊ２に搬送する場合においては、搬送ローラ対２４４による用紙Ｐの搬送速度が搬送ローラ対４５よりも遅くなる。
【００５０】
ガイド板２３４ｂは、図８に示すように、直線状に延在し、右端部が軸２３７によって回動可能に支持されている。ガイド板２３４ｂは、軸２３７を回動支点として、第１位置と、第２位置との間において回動可能に構成されている。第１位置は、図８に示すように、ガイド板２３４ｂが水平に保持され、突出位置にあるアーム５１の先端と当接する位置である。第２位置は、第１位置にあるときよりもガイド板２３４ａから離れた位置であり、アーム５１の先端との間に大きな隙間が構成される位置である（図９（ｂ）参照）。また、ガイド板２３４ｂの右端部には、軸２３７よりも右方に突出した突出部２３４ｂ１が形成されている。
【００５１】
付勢部材２３５は、図８中左斜め上方に向かって延在するバネから構成されている。付勢部材２３５は、下端が筐体１ａに固定され、上端がガイド板２３４ｂの中央よりも左側部分の下面に固定され、ガイド板２３４ｂをガイド板２３４ａに向けて付勢する。付勢部材２３５の付勢力は、用紙Ｐの腰よりも小さく設定されている。付勢部材２３５の付勢力は、撓んだ用紙Ｐの腰によって、ガイド板２３４ｂが第１位置から第２位置に移動できる程度の付勢力に設定される。付勢部材２３５の付勢力は、予め実験等により設定される。なお、付勢部材２３５は、ガイド板２３４ｂをガイド板２３４ａに向けて付勢することが可能であれば、どのような弾性部材から構成されていてもよい。
【００５２】
規制部材２３６は、ガイド板２３４ｂが第１位置にあるときに、ガイド板２３４ｂの突出部２３４ｂ１の下面と当接する位置に配置されている。これにより、ガイド板２３４ｂが付勢部材２３５によって付勢されていても、ガイド板２３４ｂが第１位置に位置付けられるように、ガイド板２３４ｂの回動を規制する。
【００５３】
続いて、搬送ローラ対４５，２４４によって用紙Ｐを第１方向Ｊ１及び第２方向Ｊ２に搬送する際の動作について、図９を参照しつつ以下に説明する。本変形例においても、用紙Ｐを排紙部４に排出する際（すなわち、ステップＳ４においてＹＥＳと判定した場合）は、第１方向Ｊ１に用紙Ｐが搬送される。
【００５４】
このとき、図９（ａ）に示すように、搬送ローラ対２４４によって搬送されてきた用紙Ｐは、接触点Ｈ２において、先端とガイド面２３４ａ１とが接触する。この後、用紙Ｐの先端がガイド面２３４ａ１に倣って搬送ローラ対４５へと搬送されるとともに、アーム５１の下面５１ａ１と当接する。これにより、アーム５１が突出位置から退避位置へと回動し、センサ５３が用紙Ｐの検出信号を制御部１００に出力する。なお、片面記録の場合においては、上述の実施形態と同様に、センサ５３から検出信号が出力されても、そのまま、用紙Ｐは排紙部４に排紙される。
【００５５】
一方、表面に画像が記録された用紙Ｐの裏面に画像を記録する際（すなわち、ステップＳ４においてＮＯと判定した場合）は、搬送ローラ対４５，２４４によって第１方向Ｊ１に搬送される用紙Ｐが、第２方向Ｊ２に向かって搬送される。このとき、制御部１００は、上述の実施形態と同様に、センサ５３による用紙Ｐの検知から所定時間経過後であって、用紙Ｐの後端がアーム５１の先端（下面５１ａ１）を通過するまでの間に、搬送モータ４４Ｍ，４５Ｍを制御して搬送ローラ対４５，２４４を逆回転する（第２処理）。これにより、用紙Ｐの搬送の方向が第１方向Ｊ１から第２方向Ｊ２へと反転される。このとき、２つの搬送モータ４４Ｍ，４５Ｍは、同じ回転速度で駆動されている。このため、第１伝達機構６１及び第２伝達機構６２の構成により、搬送ローラ対２４４による用紙Ｐの搬送速度が搬送ローラ対４５よりも遅くなる。これにより、用紙Ｐが、図９（ｂ）中二点鎖線で示すように、ガイド板２３４ａからガイド板２３４ｂに近づくように徐々に撓む。そして、用紙Ｐの撓みが大きくなるに連れて、用紙Ｐと接触するガイド板２３４ｂが付勢部材２３５の付勢力に抗して第１位置から第２位置へと回動する。すなわち、ガイド板２３４ｂとアーム５１との隙間が大きくなり、用紙Ｐがアーム５１から離隔する。こうして、用紙Ｐがガイド板２３４ｂに沿って搬送されるとともに、アーム５１が突出位置に復帰する。さらに、アーム５１が突出位置に復帰しても、アーム５１の先端とガイド板２３４ｂとの間には、用紙Ｐの厚みより大きな隙間があるので、アーム５１が用紙Ｐと摺擦しにくくなる。この後、上述の実施形態と同様に、制御部１００が搬送モータ４６Ｍ〜４８Ｍを駆動することで、用紙Ｐは、その経路が切り替えられ、用紙再送経路に沿って搬送され、記録領域に再送される。
【００５６】
以上に述べたように、本変形例においても、用紙Ｐが第２方向Ｊ２に搬送される際に、２組の搬送ローラ対２４４，４５間の速度差によって用紙Ｐが水平搬送経路Ｒ２内で撓む。このとき、ガイド板２３４ｂ（第２ガイド）が第１位置から第２位置へと回動するため、アーム５１の先端（下面５１ａ１）との間に隙間が設けられる。このため、用紙Ｐとアーム５１の先端とが摺擦するのを抑制することが可能となり、アーム５１の先端が用紙Ｐの搬送によって摩耗するのを抑制することができる。また、上述の実施形態と同様な構成においては、同じ効果を得ることができる。
【００５７】
また、ガイド板２３４ｂが第１位置から第２位置へと移動可能であるため、アーム５１の先端との間において、隙間を簡単に構成することが可能となる。さらに、ガイド板２３４ｂが一端（右端）部を中心として回動可能に構成されているため、簡単な構成でガイド板２３４ｂの移動が実現できる。
【００５８】
また、付勢部材２３５の付勢力が、用紙Ｐの腰よりも小さく設定されているため、撓んだ用紙Ｐとガイド板２３４ｂとが当接することでガイド板２３４ｂが第２位置へと移動する。このため、用紙Ｐとアーム５１の先端（下面５１ａ１）とを離隔させることが可能となる。
【００５９】
別の変形例として、ガイド板２３４ｂは、水平な状態で第１位置よりもガイド板２３４ａから離れた第２位置に移動可能に構成されていてもよい。これにおいても、上述の変形例と同様な効果を得ることができる。さらに、別の変形例として、搬送ローラ対２４４，４５を逆回転させる際に、ガイド板２３４ｂを第１位置から第２位置へと強制的に移動させる移動機構（例えば、ソレノイド）を有していてもよい。これにおいても、上述の変形例と同様な効果を得ることができる。
【００６０】
また、別の変形例として、図１０に示すように、ガイド３３を湾曲部３４ｂ３の途中部位に接続させ、当該ガイド３３の途中部位に排紙部４に向かって搬送するための搬送ローラ対３４４（別のローラ対）を設けてもよい。搬送ローラ対３４４を構成する２つのローラは、当該２つのローラの中心を通る直線（第１直線）Ｌ５に直交し且つこれら２つのローラ同士の当接点を通る直線（第２直線）Ｌ６のうち、第１方向Ｊ１において当接点よりも下流側がガイド面３４ａ４と交差するように、配置されている。これにより、用紙Ｐを第１方向Ｊ１に搬送する際に、用紙Ｐの先端をアーム５１の下面５１ａ１に確実に当接させることが可能となる。さらに、簡単に用紙Ｐをガイド板３４ａに向かって搬送させることが可能となる。
【００６１】
以上、本発明の好適な実施の形態について説明したが、本発明は上述の実施の形態に限られるものではなく、特許請求の範囲に記載した限りにおいて様々な変更が可能なものである。例えば、上述の実施形態及び各変形例においては、アーム５１が直線状に延在しているが、突出位置において搬送経路内の途中部位が屈曲したＶ字形状を有していてもよい。この場合、第１方向Ｊ１において、屈曲部の上流側面の一部が用紙Ｐと当接する当接部を構成する。また、第１伝達機構６１及び第２伝達機構６２が、用紙Ｐを第２方向Ｊ２に搬送する際の、搬送ローラ対４４，２４４による用紙Ｐの搬送速度を、搬送ローラ対４５による用紙Ｐの搬送速度よりも遅くする構成であるが、第１伝達機構６１及び第２伝達機構６２が、用紙Ｐを第２方向Ｊ２に搬送する際の、搬送ローラ対４５による用紙Ｐの搬送速度を、搬送ローラ対４４，２４４による用紙Ｐの搬送速度よりも速くする構成となっていてもよい。また、第１伝達機構６１及び第２伝達機構６２が同じ構成であってもよい。この場合、搬送ローラ対４４，２４４を逆回転させる際の搬送モータ４４Ｍの回転数を、正回転させるときよりも早くすればよい。こうすることでも、用紙Ｐを第２方向Ｊ２に搬送する際に、搬送ローラ対４４，２４４による用紙Ｐの搬送速度を搬送ローラ対４５よりも遅くすることが可能となる。また、駆動部は、複数の搬送モータだけから構成されていてもよいし、１つの搬送モータと伝達機構から構成され、正回転と逆回転時において搬送ローラ対４４，２４４の回転速度を変化させてもよい。
【００６２】
また、センサ５３は、用紙Ｐとの当接で回動するアーム５１の回動に応じて、検出信号を出力するものであれば、どのようなものであってもよい。つまり、アーム５１が第１位置から第２位置へ回動したときに、スイッチがＯＮされるスイッチセンサであってもよい。
【００６３】
本発明は、ライン式・シリアル式のいずれにも適用可能であり、また、プリンタに限定されず、ファクシミリやコピー機等にも適用可能である。さらに、画像記録する記録装置であれば、例えば、レーザー式やサーマル式など、どのような記録装置にも適用可能である。記録媒体は、可撓性を有しておれば、用紙Ｐに限定されず、記録可能な様々な媒体であってよい。
【符号の説明】
【００６４】
１  プリンタ（記録装置）
２  ヘッド（記録部）
３  搬送装置
３４ａ，２３４ａ  ガイド板（第１ガイド）
３４ａ３，３４ｂ３  湾曲部（湾曲部分）
３４ａ４  ガイド面
３４ｂ，２３４ｂ  ガイド板（第２ガイド）
４４，２４４  搬送ローラ対（第２ローラ対）
４５  搬送ローラ対（第１ローラ対）
５１  アーム
５１ａ１  下面（当接部）
５３  センサ
２３５  付勢部材
２３６  規制部材
３４４  搬送ローラ対（別のローラ対）
Ｈ１，Ｈ２  接触点
Ｊ１  第１方向
Ｊ２  第２方向
Ｌ１，Ｌ３，Ｌ５  直線（第１直線）
Ｌ２，Ｌ４，Ｌ６  直線（第２直線）
Ｒ  搬送経路
Ｒ１  湾曲経路
【図１】
2015030550.tif 000003
【図２】
2015030550.tif 000004
【図３】
2015030550.tif 000005
【図４】
2015030550.tif 000006
【図５】
2015030550.tif 000007
【図６】
2015030550.tif 000008
【図７】
2015030550.tif 000009
【図８】
2015030550.tif 000010
【図９】
2015030550.tif 000011
【図１０】
2015030550.tif 000012